(57)【要約】      （修正有）【課題】緊急時に肩バンドや胸バンド等の３本以上のベルトをワンタッチ操作で同時に分離することができる、比較的シンプルで合理的な構成の背負バンド用バックルを提供する。【解決手段】緊急時に分離すべき第１バンド及び第２バンドの端部にそれぞれ取り付けられる第１連結具及び第２連結具と、前記第１及び第２バンドとは異なる方向に分離すべき第３バンドの端部に取り付けられるフック状ないしタング状の第３連結具とを備え、前記第１連結具及び第２連結具に、それぞれ、相互に係止され、かつ、緊急時にはその係止状態をワンタッチ操作で解除できるようにされた第１係止部及び第２係止部が設けられるとともに、前記係止状態において前記第３連結具を協同して係止する第３係止部及び第４係止部が設けられ、前記係止状態が解除されたとき、前記第１連結具、第２連結具、及び第３連結具が相互に分離されるようになっている。【選択図】図１
2008125546.tif 000002
【特許請求の範囲】
【請求項１】
緊急時に分離すべき第１バンド（１１Ａ）及び第２バンド（１１Ｂ）の端部にそれぞれ取り付けられる第１連結具（３０）及び第２連結具（４０）と、前記第１及び第２バンド（１１Ａ、１１Ｂ）とは異なる方向に分離すべき第３バンド（１３）の端部に取り付けられるフック状ないしタング状の第３連結具（５０）とを備え、前記第１連結具（３０）及び第２連結具（４０）に、それぞれ、相互に係止され、かつ、緊急時にはその係止状態をワンタッチ操作で解除できるようにされた第１係止部（３５）及び第２係止部（４５）が設けられるとともに、前記係止状態において前記第３連結具（５０）を協同して係止する第３係止部（３７）及び第４係止部（４７）が設けられ、前記係止状態が解除されたとき、前記第１連結具（３０）、第２連結具（４０）、及び第３連結具（５０）が相互に分離されるようになっていることを特徴とする背負バンド用バックル。
【請求項２】
前記第１連結具（３０）の一側部に、前記第３係止部として、前記第３連結具（５０）の被係止部（５２）が遊嵌される断面溝形状で上面が開口している下側係止部（３７）が設けられるとともに、前記第２連結具（４０）の一側部に、前記第４係止部として、前記第１係止部（３５）と第２係止部（４５）の係止状態においては前記下側係止部（３７）の上面開口を覆うように被せられる上側蓋状部（４７）が設けられていることを特徴とする請求項１に記載の背負バンド用バックル。
【請求項３】
前記第２連結具（４０）に、前記第１連結具（３０）に設けられた前記第１係止部（３５）に係止される前記第２係止部としての舌状弾性片部（４５）が設けられ、該舌状弾性片部（４５）を押圧することにより前記係止状態が解除されるようになっていることを特徴とする請求項１又は２に記載の背負バンド用バックル。
【請求項４】
前記第１連結具（３０）、第２連結具（４０）、及び第３連結具（５０）は、それぞれ合成樹脂材料を素材として射出成形等の金型成形により作製されたものであることを特徴とする請求項１から３のいずれか一項に記載の背負バンド用バックル。
【請求項５】
請求項１から４のいずれか一項に記載の背負バンド用バックル（２０）が組み込まれた背負バンド装置。
【請求項６】
左右一対の肩バンド（１１、１２）の一方の上部側（１１Ａ）が前記第１バンド、下部側（１１Ｂ）が前記第２バンドとされるとともに、前記左右一対の肩バンド（１１、１２）を連結するように配在される胸バンド（１３）が前記第３バンドとされ、前記肩バンド（１１、１２）の一方の上部側（１１Ａ）に前記第１連結具（３０）が取り付けられ、前記肩バンド（１１、１２）の一方の下部側（１１Ｂ）に前記第２連結具（４０）が取り付けられ、前記胸バンド（１３）に前記第３連結具（５０）が取り付けられていることを特徴とする請求項５に記載の背負バンド装置。
【請求項７】
請求項５又は６に記載の背負バンド装置（１０）を備えた背負式作業機。
【請求項８】
請求項５又は６に記載の背負バンド装置（１０）を備えた背負式刈払機。
【発明の詳細な説明】
【技術分野】
【０００１】
本発明は、背負バンド用バックルに係り、例えば背負式刈払機等に用いられる緊急解放（分離）機能付きの背負バンド装置に組み込むのに好適な、背負バンド用バックルに関する。
【背景技術】
【０００２】
例えば、背負式刈払機は、エンジンや燃料タンク等が搭載された背負架台（機器本体）を背負バンドで背負いながら刈払作業を行うものであるが、この作業時において、気象の急変時や有害動物等の出現時、又はエンジンに異常が生じた際等には、背負っている機器本体を人体から直ちに分離させることが必要となる場合がある。
【０００３】
このようなエンジン異常等の緊急時に、機器本体を人体から分離させるべく、背負バンド部に緊急解放（分離）機能付きのバックルを組み込むことが知られている。
【０００４】
従来、一般的に用いられている緊急解放（分離）機能付きのバックル（緊急解放用バックル）は、左右一対の肩バンドの一方の中間部（胸あたり）に組み込まれ、ワンタッチ操作で該肩バンドの上部側と下部側とを分離するようになっており、通常、緊急時以外は操作（使用）されない。
【０００５】
また、例えば下記特許文献１等に見られるように、３本のバンドをワンタッチ操作で同時に分離することのできる背負バンド用バックルも開発されている。
【特許文献１】実公平5-25389号公報
【発明の開示】
【発明が解決しようとする課題】
【０００６】
ところで、背負式刈払機等に用いられる背負バンド装置について、背負い安定性を向上させるため、言い換えれば、左右の肩バンドが肩からずれ落ちるのを防ぐこと等を目的として、例えば、左右の肩バンドを連結するように胸バンドを配在することが検討されている。
【０００７】
しかしながら、前記のように左右の肩バンドの一方に緊急解放用バックルを組み込み、さらに、左右の肩バンドを連結するように胸バンドを配在する場合には、背負う際や降ろす際の便宜を図るため（前記胸バンドが存在すると肩バンドを肩に掛ける際や肩から外す際に邪魔になるので）、胸バンドの中間部に連結／解除用バックルを組み込むことが要求される。
【０００８】
ところが、前記のように左右の肩バンドの一方に緊急解放用バックルを組み込むとともに、左右の肩バンドを連結するように胸バンドを配在し、さらに、胸バンドの中間部に連結／解除用バックルを組み込んだ背負バンド装置では、緊急時に肩バンドの一方に組み込まれた緊急解放用バックルを操作して該肩バンドの上部側と下部側とを分離しても、胸バンドが存在するため、胸バンドに組み込まれた連結／解除用バックルを操作してその連結を解除しなければ、機器本体を人体から分離させることができず、分離操作をワンタッチで素早く行うことができないという問題がある。
【０００９】
なお、前記特許文献１に所載の背負バンド装置及びそれに組み込まれているバックルは、３本のバンドをワンタッチ操作で同時に分離することができるが、構成が複雑で部品点数が多い等の問題があるとともに、背負う際（肩バンドを肩に掛ける際）の操作やバンド相互の連結が厄介で面倒であり、前記のような肩バンド及び胸バンドを備えた背負バンド装置に適用することは難しい。
【００１０】
本発明は、上記事情に鑑みてなされたもので、その目的とするところは、緊急時に肩バンドや胸バンド等の３本以上のバンドをワンタッチ操作で同時に分離することができる、比較的シンプルで合理的な構成の背負バンド用バックルを提供することにある。
【課題を解決するための手段】
【００１１】
前記目的を達成すべく、本発明に係る背負バンド用バックルは、基本的には、緊急時に分離すべき第１バンド及び第２バンドの端部にそれぞれ取り付けられる第１連結具及び第２連結具と、前記第１及び第２バンドとは異なる方向に分離すべき第３バンドの端部に取り付けられるフック状ないしタング状の第３連結具とを備える。
【００１２】
そして、前記第１連結具及び第２連結具に、それぞれ、相互に係止され、かつ、緊急時にはその係止状態をワンタッチ操作で解除できるようにされた第１係止部及び第２係止部が設けられるとともに、前記係止状態において前記第３連結具を協同して係止する第３係止部及び第４係止部が設けられ、前記係止状態が解除されたとき、前記第１連結具、前記第２連結具、及び前記第３連結具が相互に分離されるようになっていることを特徴としている。
【００１３】
好ましい態様では、前記第１連結具の一側部に、前記第３係止部として、前記第３連結具の被係止部が遊嵌される断面溝形状で上面が開口している下側係止部が設けられるとともに、前記第２連結具の一側部に、前記第４係止部として、前記第１係止部と第２係止部の係止状態においては前記下側係止部の上面開口を覆うように被せられる上側蓋状部が設けられる。
【００１４】
他の好ましい態様では、前記第２連結具に、前記第１連結具に設けられた前記第１係止部に係止される前記第２係止部としての舌状弾性片部が設けられ、該舌状弾性片部を押圧することにより前記係止状態が解除されるように構成される。
【００１５】
さらに好ましい態様では、前記第１連結具、第２連結具、及び第３連結具は、それぞれ合成樹脂材料を素材として射出成形等の金型成形により作製されたものとされる。
【００１６】
一方、本発明に係る背負バンド装置は、前記バックルが組み込まれたもので、好ましい態様では、左右一対の肩バンドの一方の上部側が前記第１バンド、下部側が前記第２バンドとされるとともに、前記左右一対の肩バンドを連結するように配在される胸バンドが前記第３バンドとされ、前記肩バンドの一方の上部側に前記第１連結具が取り付けられ、前記肩バンドの一方の下部側に前記第２連結具が取り付けられ、前記胸バンドに前記第３連結具が取り付けられていることを特徴としている。
【００１７】
また、本発明に係る背負式刈払機等の背負式作業機は、前記背負バンド用バックルが組み込まれた背負バンド装置を備えたものである。
【発明の効果】
【００１８】
上記の如くの構成とされた本発明に係る背負バンド用バックルは、第１バンド（例えば肩バンドの上部側）の端部に取り付けられた第１連結具に設けられた第１係止部と第２バンド（前記肩バンドの下部側）の端部に取り付けられた第２連結具に設けられた第２係止部との係止状態をワンタッチ操作で解除できるとともに、この係止状態が解除されたとき、背負っている機器本体等の荷重により第１及び第２バンドが引っ張られて第１連結具と第２連結具が分離され、これに伴い、第３連結具を協同して係止する第１連結具に設けられた第３係止部と第２連結具に設けられた第４係止部も相互に分離し、これによって第３連結具の係止状態が解除され、第３連結具が第１及び第２連結具から分離される。
【００１９】
したがって、本発明の背負バンド用バックルを背負バンド装置に組み込むことにより、緊急時に肩バンドや胸バンド等の３本以上のベルトをワンタッチ操作で同時に分離することができ、背負っている機器本体等を人体から素早く分離させることができる。
【００２０】
また、本発明の背負バンド用バックルは、第１連結具、第２連結具、及び第３連結具の３部品で極めてシンプルに合理的に構成され、しかも、それらは、それぞれ合成樹脂材料を素材として射出成形等の金型成形により作製することができるので、従来の同種のバックルに比して、部品点数の削減、構成の簡素化、製造コスト低減等を図ることができる。
【発明を実施するための最良の形態】
【００２１】
以下、本発明の背負バンド用バックルの実施形態を図面を参照しながら説明する。
図１（Ａ）、（Ｂ）は、本発明に係る背負バンド用バックルの一実施形態の使用状態を示す図である。具体的には、本実施形態の背負バンド用バックル２０が組み込まれた背負バンド装置１０が用いられた背負式刈払機１を背負った状態を示している。
【００２２】
図示の背負式刈払機１は、エンジン３や燃料タンク等が搭載された背負架台６からなる機器本体２と、この機器本体２の右側部にフレキシブルカバー７を介して連結された操作棹８とを備え、エンジン３の動力がフレキシブルカバー７に内挿されたフレキシブルシャフトや操作棹８に内挿されたドライブシャフトを介して、ハンドル５が取り付けられた操作棹８の先端に設けられた刈刃９に伝達され、刈刃９を回転させることにより刈払作業を行うものである。
【００２３】
この背負式刈払機１に用いられている背負バンド装置１０は、その両端が背負架台６の上下に連結されて左右の肩に掛け廻される左肩バンド１１及び右肩バンド１２と、この左肩バンド１１と右肩バンド１２を胸のあたりで連結する胸バンド１３と、右肩バンド１２の上部と操作棹８とを結ぶ吊持バンド１６とを備えており、前記左肩バンド１１の中間部（胸のあたり）に本発明実施形態の緊急解放（分離）機能付きの背負バンド用バックル（緊急解放用バックル）２０が介装され、また、前記胸バンド１３の中央に連結／分離用バックル１５が介装されている。
【００２４】
前記緊急解放用バックル２０は、緊急時にワンタッチ操作で前記左肩バンド１１の上部側（左肩バンド上部１１Ａの下端部）と下部側（左肩バンド下部１１Ｂの上端部）と前記胸バンド１３（の左端部）の３本のバンドを相互に分離するようになっており、通常、緊急時以外は操作（使用）されない。また、前記機器本体２（背負架台６）を背負う際や降ろす際には、前記連結／分離用バックル１５を操作して前記胸バンド１３を左右に分離（胸バンド左部１３Ａと胸バンド右部１３Ｂとに分離）するようにされる。
【００２５】
より詳細には、前記緊急解放用バックル２０は、図２〜図６に示される如くに、緊急時に分離すべき左肩バンド上部１１（の下端部）と左肩バンド下部１１Ｂ（の上端部）にそれぞれ取り付けられる第１連結具３０及び第２連結具４０と、胸バンド左部１３Ａ（の左端部）に取り付けられる平面視概略台形リング状（フック状ないしタング状）の第３連結具５０とを備えている。
【００２６】
前記第１連結具３０、第２連結具４０、及び第３連結具５０は、それぞれ合成樹脂材料を素材として射出成形等の金型成形により作製されたものであり、相互に係止可能とされるとともに、ワンタッチ操作でその係止状態を解除できるようになっている。
【００２７】
すなわち、第１連結具３０は、平面視矩形の基体部３１を備え、この基体部３１の一側部に、後述する第３連結具５０の断面円形の被係止部５２が遊嵌される断面溝形状で上面が開口している細長の下側係止部３７が設けられるとともに、前記基体部３１の上端部に、前記左肩バンド上部１１Ａの下端部が取着される断面角丸付き矩形のベルト止め部３６が設けられている。
【００２８】
前記基体部３１は、図３〜図６を参照すればよくわかるように、後述する第２連結具４０に設けられた矩形枠状部４２及び舌状弾性片部４５が嵌挿される、下面が開口している有底角筒形状とされ、その天面部３２には、前記舌状弾性片部４５に設けられた平面視半円ないし半小判形の係止用傾斜凸部４６が嵌合せしめられる係止用開口３５が形成されている。
【００２９】
一方、第２連結具４０は、平面視門形の基体部４１とこの基体部４１から上方に突出する矩形枠状部４２とを備え、前記基体部４１の一側部には、該一側部から上方に突出して、前記第１連結具３０の下側係止部３７の上面開口を覆うように被せられる上側蓋状部４７が設けられるとともに、前記基体部４１の中央部と下端部には、前記左肩バンド下部１１Ｂの上端部が廻し止め固定されるベルト止め部４３、４４が設けられている。なお、ベルト止め部４３、４４には、それぞれベルトの喰い付きをよくするための溝４３ａ、４４ａが多数形成されている。また、前記基体部４１及びベルト止め部４４の下端部には、平面視円形の着脱用つまみ部４９が連設されている。
【００３０】
また、図５に示される如くに、前記矩形枠状部４２の上辺部４２ａには、第１連結具３０の基体部３１内に挿入されて、その天面部３２と底面部３３との間で弾性撓曲可能とされた舌状弾性片部４５が連設されている。該舌状弾性片部４５の上面には、前記天面部３２に形成された係止用開口３５に嵌合せしめられる係止用傾斜凸部４６が突設されている。該係止用傾斜凸部４６は、上端（上辺部４２ａ側）から下端にかけてその肉厚が厚くなるようにその上面が傾斜せしめられており、その肉厚が最大となる下端部４６ａが前記係止用開口３５の下端縁部３５ａに当接して係止されるようになっている。
【００３１】
また、平面視概略台形リング状の第３連結具５０は、第１連結具３０の下側係止部３７と第２連結具４０の上側蓋状部４７とで構成される係止部により係止される断面円形の被係止部５２と、胸バンド左部１３Ａ（の左端部）が取着される断面円形のベルト止め部５３と、断面矩形の中間橋架部５４とを有している。
【００３２】
また、第１連結具３０の基体部３１の一側上端隅部には、外れ止め突起部３８が突設されるとともに、第２連結具４０の上側蓋状部４７の上端隅部には、前記外れ止め突起部３８が嵌合する凹部４８が形成されている。
【００３３】
このような構成とされた本実施形態の緊急解放用バックル２０においては、通常時は、図１（Ａ）、図２、図５（Ａ）、図６（Ａ）に示される如くに、第１連結具３０、第２連結具４０、及び第３連結具５０を連結係止状態としておく。この連結係止状態にするには、第３連結具５０の被係止部５２を第１連結具３０の下側係止部３７（と第２連結具４０の上側蓋状部４７とで構成される係止部）内に遊嵌した状態で、第１連結具３０の基体部３１内に、第２連結具４０の矩形枠状部４２及び舌状弾性片部４５を挿入する。この際、第２連結具４０の舌状弾性片部４５を押圧すれば、該舌状弾性片部４５が図６（Ａ）において仮想線で示される如くに撓んで、基体部３１の下面開口を通過し、その先端が基体部３１の内壁奥端面に衝接して停止させられる。この状態で押圧を解除すると、舌状弾性片部４５が元に戻って、該舌状弾性片部４５の上面に設けられた係止用傾斜凸部４６が基体部３１の係止用開口３５に嵌め込まれ、これによって、係止用傾斜凸部４６の下端部４６ａが係止用開口３５の下端部３５ａに係止される係止状態となる。
【００３４】
このように第１連結具３０と第２連結具４０とを係止状態とする操作を行うと、これと同時に、第１連結具３０の下側係止部３７を覆うように第２連結具４０の上側蓋状部４７が被せられ、前記下側係止部３７と上側蓋状部４７とで協同して第３連結具５０を係止した状態となる。
【００３５】
一方、エンジン３に異常が生じた際等の緊急時には、第１連結具３０、第２連結具４０、及び第３連結具５０の連結係止状態を解除する。この連結係止状態の解除を行うには、図６（Ａ）に示される如くに、前記舌状弾性片部４５を押圧する。これにより、図６（Ａ）において仮想線で示される如くに、舌状弾性片部４５が基端部（矩形枠状部４２の上辺部４２ａ）を支点にして弾性的に撓み、その上面に設けられた係止用傾斜凸部４６の肉厚の下端部４６ａが係止用開口３５の下端部３５ａから外れ、舌状弾性片部４５を基体部３１から抜き出し可能となる。この場合、背負っている機器本体２の荷重により、第１連結具３０が取り付けられた左肩バンド上部１１Ａと第２連結具４０が取り付けられた左肩バンド下部１１Ｂは上下方向に引っ張られるので、図１（Ｂ）、図３、図４、図５（Ｂ）、及び図６（Ｂ）に示される如くに、第１連結具３０と第２連結具４０が分離され、これに伴い、第３連結具５０を協同して係止する第１連結具３０に設けられた下側係止部３７と第２連結具４０に設けられた上側蓋状部４７も相互に分離し、これによって第３連結具５０の係止状態が解除され、第３連結具５０が第１連結具３０及び第２連結具４０から分離される。
【００３６】
したがって、本実施形態の緊急解放用バックル２０を背負バンド装置１０に組み込むことにより、緊急時に左肩バンド上部１１Ａ、左肩バンド下部１１Ｂ、及び胸バンド左部１３Ａをワンタッチ操作で同時に分離することができ、機器本体２を人体から素早く分離させることができる。
【００３７】
また、本実施形態の緊急解放用バックル２０は、第１連結具３０、第２連結具４０、及び第３連結具５０の３部品で極めてシンプルに合理的に構成され、しかも、それらは、それぞれ合成樹脂材料を素材として射出成形等の金型成形により作製することができるので、従来の同種のバックルに比して、部品点数の削減、構成の簡素化、製造コスト低減等を図ることができる。
【００３８】
なお、図６（Ｃ）に示される如くに、第１連結具３０の下側係止部３７や第２連結具４０の上側蓋状部４７の材質や寸法肉厚等を適宜に設定することにより、第１連結具３０、第２連結具４０、及び第３連結具５０が連結係止状態にあるとき、第３連結具５０（胸ベルト１３）を強く引っ張ると、例えば、第２連結具４０の上側蓋状部４７が第３連結具５０の被係止部５２に押されて、基端部を支点にして上方に撓み、第３連結具５０を第１連結具３０及び第２連結具４０から分離することができる。
【００３９】
また、例えば、第１連結具３０の基体部３１及び第２連結具４０の基体部４１の他側部に、一側部に設けられた下側係止部３７及び上側蓋状部４７と同様な係止部を設け、該係止部により第４ベルトに取り付けられた第３連結具５０と同様な第４連結具を係止するようになせば、緊急時にワンタッチ操作で４本のバンドを同時に分離することができる。
【図面の簡単な説明】
【００４０】
【図１】本発明に係る背負バンド用バックルの一実施形態の使用状態を示す図。
【図２】図１に示される背負バンド用バックルの連結係止状態を示し、（Ａ）は拡大平面図、（Ｂ）は拡大斜視図。
【図３】図２に示される背負バンド用バックルの分離状態を示す平面図。
【図４】図２に示される背負バンド用バックルの分離状態を示す斜視図。
【図５】図２に示される背負バンド用バックルの構成作用効果の説明に供される断面図。
【図６】図２に示される背負バンド用バックルの構成作用効果の説明に供される上面図。
【符号の説明】
【００４１】
１      背負式刈払機
２      機器本体
１０    背負バンド装置
１１    左肩バンド
１１Ａ  左肩バンド上部（第１バンド）
１１Ｂ  左肩バンド下部（第２バンド）
１２    右肩バンド
１３    胸バンド（第３バンド）
１５    連結／分離用バックル
２０    緊急離脱用バックル（背負バンド用バックル）
３０    第１連結具
３１    基体部
３５    係止用開口（第１係止部）
３７    下側係止部（第３係止部）
４０    第２連結具
４１    基体部
４２    矩形枠状部
４５    舌状弾性片部（第２係止部）
４６    係止用傾斜凸部
４７    上側蓋状部（第４係止部）    
５０    第３連結具
５２    被係止部
【図１】
2008125546.tif 000003
【図２】
2008125546.tif 000004
【図３】
2008125546.tif 000005
【図４】
2008125546.tif 000006
【図５】
2008125546.tif 000007
【図６】
2008125546.tif 000008